(57)【特許請求の範囲】
【請求項１】
上側部の横長な入力部と、該入力部の下端縁に沿って横方向に間隔を空けて並設した複数の細幅な溶断部および各溶断部の下端に夫々連続して間隔を空けて並設した出力部とを設けた導電性金属板と、少なくとも前記並設した溶断部の周囲を覆う絶縁樹脂部とを備えた一体型ヒューズを設け、
電気接続箱のケース本体の周壁外面に設ける取付部に、少なくとも１つのボルトを突出し、該ボルトに前記一体型ヒューズの前記入力部および／または前記複数の出力部に設けたボルト穴と電線端末の端子のボルト孔とを挿通してナットで締結して接続し、
また、前記ケース本体の取付部に前記一体型ヒューズの上側部に設けた取付穴に挿入係止する係止部を設け、
かつ、前記ケース本体の前記取付部に、前記一体型ヒューズの出力部に介在させる出力部用の仕切壁および入力部の下部に設けた入力部用の仕切壁を突設し、前記出力部用の仕切壁の上端で前記絶縁樹脂部の下端を支持し、
前記仕切壁の突出高さを前記ボルトの先端面より突出させ、該仕切壁の突出端面に沿わせて前記ケース本体に被せるアッパーカバーで前記一体型ヒューズを覆っていることを特徴とする電気接続箱。
【請求項２】
前記各出力部用の仕切壁は垂直方向の平板とし、その上側角部に、突出端側から奥側に向けて傾斜するヒューズ案内用傾斜部と、上面側から下方に向けて傾斜するアッパーカバー案内用傾斜部とを連続して設けている請求項１に記載の電気接続箱。
【請求項３】
前記一体型ヒューズでは、前記上側部の入力部に設けたボルト穴の下方は前記絶縁樹脂部で被覆した溶断部および出力部を設けていない開口とし、該開口の両側に一対の前記入力部用の仕切壁を位置させ、該仕切壁の間を前記入力部と接続する電線の挿通部とし、
前記一対の入力部用の仕切壁の上側角部に、突出端側から奥側に向けて傾斜するヒューズ案内用傾斜部と、上面側から下方に向けて傾斜するアッパーカバー案内用傾斜部とを連続して設けている請求項１または請求項２に記載の電気接続箱。
【発明の詳細な説明】
【技術分野】
【０００１】
本発明は、電気接続箱に関し、詳しくは、入力部と複数の溶断部および出力部とを導電性金属板から一体に形成した一体型ヒューズを取り付けた電気接続箱において、該一体型ヒューズの発熱による電気接続箱内の過熱を防止すると共に、該一体型ヒューズの入力部および出力部に電線端末の端子を作業性よく接続できるようにするものである。
【背景技術】
【０００２】
近年、一体型ヒューズが自動車用の電気接続箱で用いられている。該一体型ヒューズは、導電性金属板を切断して形成するバスバーに、溶断部を一体的に形成しているものである。
【０００３】
この種の一体型ヒューズは、本出願人の先願に係る特開２００５−４５８６７号（特許文献１）に開示しているように、電気接続箱のケース内部に収容している。すなわち、図９（Ａ）に示すように、入力端子部（図示せず）と、複数の出力端子部４ａ、４ｂと、Ｓ字状の細幅部からなる複数の溶断部５ａ、５ｂとをバスバーを介して一体的に形成した一体型ヒューズ３Ａ、３Ｂを、電気接続箱１のケース２の上面から垂直方向に挿入係止し、図９（Ｂ）に示すように、出力端子部４ａ、４ｂをケース２の下面側に突出させて、それぞれ電線Ｗ１、Ｗ２の端末の端子６、７と接続している。
【０００４】
しかしながら、一体型ヒューズは、バスバー自体の発熱に加え、ヒューズの発熱を受けて過熱しやすい。よって、ケース２内に一体型ヒューズ３Ａ、３Ｂを収容すると、ケース２内に熱がこもり、ケース２の内部に収容している他の電気部品に熱影響を与える問題がある。
また、前記一体型ヒューズ３Ａの出力端子部４ａと電線Ｗ１の端末の端子６とを結合するボルト９がケース２内に突出し、ケース２内に配線される他の電線と干渉しやすく、該ボルト９のエッジで電線を損傷する恐れもある。
さらに、一体型ヒューズ３Ａ、３Ｂをケース２内に収容すると、出力端子部４ａ、４ｂと電線Ｗ１、Ｗ２の端子６、７の接続作業やヒューズ３Ａ、４Ｂの交換作業に際して、ケース２の下部に取り付けられるロアカバー８を外す必要があり、作業性にも課題がある。
【０００５】
【特許文献１】特開２００５−４５８６７号公報
【発明の開示】
【発明が解決しようとする課題】
【０００６】
本発明は前記問題に鑑みてなされたもので、一体型ヒューズを取り付ける電気接続箱において、一体型ヒューズからの発熱を効率良く放熱すると共に、ボルトと電線との干渉を防止し、かつ、ボルト締めやヒューズ交換等の作業性を向上させることを課題としている。
【課題を解決するための手段】
【０００７】
前記課題を解決するために、本発明は、上側部の横長な入力部と、該入力部の下端縁に沿って横方向に間隔を空けて並設した複数の細幅な溶断部および各溶断部の下端に夫々連続して間隔を空けて並設した出力部とを設けた導電性金属板と、少なくとも前記並設した溶断部の周囲を覆う絶縁樹脂部とを備えた一体型ヒューズを設け、
電気接続箱のケース本体の周壁外面に設ける取付部に、少なくとも１つのボルトを突出し、該ボルトに前記一体型ヒューズの前記入力部および／または前記複数の出力部に設けたボルト穴と電線端末の端子のボルト孔とを挿通してナットで締結して接続し、
また、前記ケース本体の取付部に前記一体型ヒューズの上側部に設けた取付穴に挿入係止する係止部を設け、
かつ、前記ケース本体の前記取付部に、前記一体型ヒューズの出力部に介在させる出力部用の仕切壁および入力部の下部に設けた入力部用の仕切壁を突設し、前記出力部用の仕切壁の上端で前記絶縁樹脂部の下端を支持し、
前記仕切壁の突出高さを前記ボルトの先端面より突出させ、該仕切壁の突出端面に沿わせて前記ケース本体に被せるアッパーカバーで前記一体型ヒューズを覆っていることを特徴とする電気接続箱を提供している。
【０００８】
このように、本発明では、一体型ヒューズをケース本体の内部に収容するのではなく、ケース本体の周壁外面に取り付けている。よって、一体型ヒューズからの発熱の放熱性が高まり、ケース本体内に熱がこもることを防止でき、ケース本体内に収容した他の電気部品に与える熱影響を低減できる。
【０００９】
また、一体型ヒューズの入力部および／または出力部と電線端末の端子との接続はケース外部で行うことができるため、接続作業が容易であり、メンテナンス性もよい。かつ、一体型ヒューズと接続する電線をケース内部に配線する必要がなく、かつ、電線端末の端子と一体型ヒューズの入力部および／または出力部をボルト締結し、該ボルトがケース内部に位置しないため、ボルトとケース内部の電気部品との干渉も防止できる。
【００１０】
前記のように、ケース本体の周壁外面に取り付ける前記一体型ヒューズは、該ケース本体に取り付けるアッパーカバーの周壁で覆っている。
これにより、一体型ヒューズの前記絶縁樹脂部で被覆されていない入力部や出力部が電気接続箱外部に露出することを防止できると共に、一体型ヒューズの外側をアッパーカバーのみで覆うことにより、良好な放熱性を保つことができる。
【００１１】
前記のように、一体型ヒューズは、上側部を横長な入力部とし、該入力部の下端縁に沿って横方向に間隔を空けて並設した細幅な溶断部と、各溶断部の下端に夫々連続して間隔を空けて並設した出力部とを設けた前記導電性金属板と、少なくとも前記並設した溶断部の周囲を覆う絶縁樹脂部とを備え、
前記取付部から突出した少なくとも１つのボルトに、前記入力部および／または前記複数の出力部に設けたボルト穴と電線端末の端子のボルト孔とを挿通してナットで締結し、  かつ、前記ケース本体の前記取付部に、前記一体型ヒューズの出力部に介在させる出力部用の仕切壁および入力部の下部に設けた入力部用の仕切壁を突設し、これら仕切壁の突出高さを前記ボルトの先端面より突出させ、該仕切壁の突出端面に沿わせて前記アッパーカバーを取り付けている。
【００１２】
前記のように、仕切壁の突出量をボルトの先端よりも外側に位置させることにより、アッパーカバーを上方からケース本体に被せる作業時に、ケース本体の側面から突出したボルトにアッパーカバーが引っ掛かるのを防止できる。また、仕切壁の外面に沿わせてアッパーカバーを嵌合すればよく、アッパーカバーの取付作業性を向上できると共に、ボルトとの干渉に起因するアッパーカバーの損傷も防止できる。
【００１３】
前記入力部のボルト穴に突出するボルトはケース本体内に収容した内部回路材と接続して突設し、電源線からなる電線端末の端子と一体型ヒューズの入力部を介して接続することが好ましい。なお、入力部に突出するボルトをケース本体の取付部に固定してヒューズの入力部とのみ接続してもよい。
前記出力部のボルト穴に突出するボルトはケース本体の取付部に固定して突出し、負荷側の電線端末の端子と接続することが好ましいが、該ボルトもケース内部の回路材と接続して突出してもよい。
【００１４】
さらに、前記のように、ケース本体の取付部に前記一体型ヒューズの上側部に設けた取付穴に挿入係止する係止部を設け、かつ、前記出力部用の仕切壁の上端で前記絶縁樹脂部の下端を支持している。
前記構成とすると、一体型ヒューズを仕切壁で支持してケース本体の周壁外面にセットし、上側部の取付穴に、ケース本体の外面から突設している、例えば、羽根型の係止部を挿入係止すると、簡単且つ確実にケース本体の周壁外面に一体型ヒューズを固定することができる。
【００１５】
前記各出力部用の仕切壁は垂直方向の平板とし、その上側角部に、突出端側から奥側に向けて傾斜するヒューズ案内用傾斜部と、上面側から下方に向けて傾斜するアッパーカバー案内用傾斜部とを連続して設けている。
【００１６】
前記のように、各出力部用の仕切壁の上側角部に、ヒューズ案内用傾斜部とアッパーカバー案内用傾斜部とを設けることにより、アッパーカバーを垂直下方に挿入するときには、前記アッパーカバー案内用傾斜部がアッパーカバーの下端に当接してアッパーカバーをスムーズに所定取付位置へと案内できる。一方、一体型ヒューズを水平方向に挿入するときには、前記ヒューズ案内用傾斜部が一体型ヒューズの出力部間の隙間に位置する絶縁樹脂断部の下端に当接することにより、該一体型ヒューズをスムーズに所定位置へと案内することができ、作業性を高めることができる。
このように、前記ヒューズ案内用傾斜部とアッパーカバー案内用傾斜部とを連続して設けることにより、一つの仕切壁に、挿入方向が直交方向の異なるアッパーカバーと一体型ヒューズとをそれぞれ案内する二つの傾斜部を設けることができるため、スペースを有効活用でき、電気接続箱の大型化も防止できる。
【００１７】
前記一体型ヒューズでは、前記上側部の入力部に設けたボルト穴の下方は前記絶縁樹脂部で被覆した溶断部および出力部を設けていない開口とし、該開口の両側に一対の前記入力部用の仕切壁を位置させ、該仕切壁の間を前記入力部と接続する電線の挿通部とし、
前記一対の入力部用の仕切壁の上側角部に、突出端側から奥側に向けて傾斜するヒューズ案内用傾斜部と上面側から下方に向けて傾斜するアッパーカバー案内用傾斜部とを連続して設けている。
【００１８】
前記のように、入力部と接続する電線の挿通部を設け、該挿通部の両側縁に仕切壁を設けることにより、電線を正確に経路規制すると共に、該電線が一体型ヒューズの前記出力部のボルト穴から突出するボルトに干渉して損傷が発生するのを防止できる。
特に、アッパーカバーは上方から被せてくるため、上方位置の入力部用の仕切壁の上面にアッパーカバー案内用傾斜部を設けていることで、アッパーカバーをスムーズに下方へ案内することができる。
【発明の効果】
【００１９】
上述したように、本発明に係る電気接続箱は、一体型ヒューズをケース本体の周壁外面に取り付けることにより、一体型ヒューズの放熱性を高めることができ、一体型ヒューズの過熱によるケース本体の内部に収容した電気部品に熱影響を与えるのを防止できる。また、一体型ヒューズと接続する電線および電線端末の端子とヒューズとを接続するボルトはケース内部に配索されないため、ケース本体の内部の構成を簡単にできると共にケース本体を小型化できる。
【００２０】
さらに、前記一体型ヒューズをアッパーカバーの周壁で覆う構成とすることにより、一体型ヒューズの入力部および／または出力部と電線端末の端子とのボルト締め接続作業や、ヒューズ交換等のメンテナンス作業を、アッパーカバーのみを取り外して行うことができるため、作業性を向上できる。
【００２１】
また、一体型ヒューズの出力部間に介在させる出力部用の仕切壁および入力用仕切壁をボルトの先端面よりも外側に位置させているため、アッパーカバーを上方から挿入してケース本体に被せるときに、アッパーカバーの下端が前記ボルトに引っ掛かることを防ぐと共に、該ボルトのエッジでアッパーカバーが損傷することも防止できる。
【００２２】
さらに、前記仕切壁の上側角部に、アッパーカバー案内用傾斜部とヒューズ案内用傾斜部とを設けることにより、挿入方向の異なるアッパーカバーと一体型ヒューズとをそれぞれスムーズに所定位置へと案内することができ、アッパーカバーと一体型ヒューズの取付作業性を高めることができる。
【発明を実施するための最良の形態】
【００２３】
以下、本発明の実施形態を図面を参照して説明する。
図１乃至図８に、本発明の第一実施形態に係る車載用の電気接続箱１０を示す。
【００２４】
電気接続箱１０は、ケース本体１１の上面に複数のヒューズ収容部１５およびリレー収容部１６を並設すると共に、該ケース本体１１の垂直方向の一側壁の外面に一体型ヒューズ３０の取付部１７を設けている。ケース本体１１の上面にアッパーカバー１２を被せ、下面にロアカバー１３を被せ、ロアカバー１３の係止爪１５をアッパーカバー１２の被係止部１４に係止してロックする構成としている。
【００２５】
前記アッパーカバー１２は、ケース本体１１の一体型ヒューズ取付部１７と対向する周壁１２ａを下方へ延在して、該周壁１２ａで一体型ヒューズ取付部１７を下端まで覆う形状としている。
【００２６】
前記一体型ヒューズ３０は、図２に示すように、導電性金属板３１を打抜加工して、入力部３３と複数の出力部３４と複数の細幅の溶断部３５とを同一面上に一体に形成している。該導電性金属板３１の溶断部３５を絶縁樹脂部３２で連続して被覆している。該絶縁樹脂部３２は、詳細には、溶断部３５を挟む２枚の樹脂ケースからなり、一方のケースに係止突起を設けると共に、他方のケースに係止孔を設け、係止突起を係止孔に嵌合して組みつけた後に溶着している。
【００２７】
前記導電性金属板３１は、図２に示すように、上側部全体を横長の入力部３３とし、該入力部３３にはスタッドボルト貫通用のボルト穴３６を穿設している。前記溶断部３５は、入力部３３の下端縁に沿って横方向に間隔をあけて並設し、前記出力部３４は、各溶断部３５の下端にそれぞれ連続させて横方向に間隔をあけて並設している。前記ボルト穴３６の下方には溶断部３５および出力部３４を設けず、電源線挿通用の開口３７としている。
前記開口３７を挟む両側において、並設した複数の溶断部３５を絶縁被覆部３２でそれぞれ一体的に被覆する一方、開口３７内には絶縁被覆部３２を突出させないようにしている。
【００２８】
前記各出力部３４には、スタッドボルト貫通用のボルト穴３８を穿設している。
前記入力部３３の上側部には、横方向に間隔をあけて複数のクリップ穴３９を穿設している。
【００２９】
前記ケース本体１１の垂直方向の側壁外面に設けた取付部１７には、図３（Ａ）（Ｂ）に示すように、その上側部に、一体型ヒューズ３０の入力部３３のボルト穴３６を貫通する一個の入力側スタッドボルト１８を突設している。下側部には、一体型ヒューズ３０の出力部３４の各ボルト穴３８を貫通する複数の出力側スタッドボルト１９を突設している。
【００３０】
前記入力側スタッドボルト１８は、ケース本体１１の内部に収容されているバスバー等の内部回路（図示せず）と接続し、ケース本体１１の側壁を貫通して水平方向に突設し、電源線４１の端末に接続したボルト締め端子４３と接続するものとしている。
前記出力側スタッドボルト１９は、その基端部をケース本体１１の側壁に埋設して水平方向に突設し、電線４２の端末に接続したボルト締め端子４４と接続ものとしている。
【００３１】
ケース本体１１の取付部１７には、図３（Ａ）（Ｂ）および図６に示すように、一体型ヒューズ３０を取り付けた時に、各出力部３４間の隙間に介在する絶縁用および位置決め用の複数の出力部用の仕切壁２０を外方に向けて突設している。また、前記開口３７の両側縁３７ａ、３７ｂに当接して、該開口３７を出力部３４および溶断部３５から仕切る一対の入力部用の仕切壁２１とを突設している。該仕切壁２１に挟まれた空間を電源線挿通部２９としている。
【００３２】
前記出力部用の仕切壁２０は、矩形状の平板からなり、各出力部３４間の隙間に嵌合する厚さを有すると共に、図５および図８に示すように、上面２０ａは、水平面からなる奥端で一体型ヒューズ３０の出力部３４間の隙間に位置する絶縁樹脂部３２の下端を支持している。下面２０ｂは、出力部３４の下端３４ａより下方に位置して水平方向に延在している。また、図４（Ａ）に示すように、該出力部用の仕切壁２０の突出端側の外端面２０ｃは垂直面からなり、前記出力側スタッドボルト１９の先端面１９ａよりも外側に位置すると共に、図８に示すように、前記アッパーカバー１２の周壁１２ａの内面側に位置している。
【００３３】
前記出力部用の仕切壁２０の上側角部の突出端側には傾斜切欠２２を設けている。該傾斜切欠２２は、図４（Ａ）（Ｂ）に示すように、前記突出端側から奥端に向けて傾斜するヒューズ案内用傾斜部２３と、上面側から下方に向けて傾斜するアッパーカバー案内用傾斜部２４とからなり、ヒューズ案内用傾斜部２３は、アッパーカバー案内用傾斜部２４よりも突出端側に設けている。
図４（Ｂ）に示す傾斜角度θ１はアッパカバー１２が上方から被せられる際に、アッパカバー１２の先端が仕切り壁２０のヒューズ案内用傾斜部２３に当接しても、該先端をスムーズに外端面２０ｃ側へ導く設定としている。一方、傾斜角度θ２は一体型ヒューズ３０の装着時、絶縁樹脂部３２の下端をスムーズに上側角部２０ａへ導く設定としている。両方の傾斜部２３、２４の好ましい傾斜角度θ１、θ２は５°〜３５°である。
【００３４】
前記入力部用の仕切壁２１は、図３（Ｂ）に示すように、出力部用の仕切壁２０よりも上方に突出した矩形状の平板からなる。図５および図８に示すように、上面２１ａは、水平面からなる奥端で一体型ヒューズ３０の入力部３３の下端を支持している。下面２１ｂは、出力部３４の下端３４ａより下方に位置して水平方向に延在している。
また、図４（Ａ）に示すように、仕切壁２１の外端面２１ｃの突出位置は、出力部用の仕切壁２０の外端面２０ｃと同一とし、入力側スタッドボルト１８の先端面１８ａおよび出力側スタッドボルト１９の先端面１９ａよりも外側に位置し、図８に示すように、前記アッパーカバー１２の周壁１２ａの内面側に位置している。
【００３５】
前記仕切壁２１の上側角部に傾斜切欠２５を設けている。該傾斜切欠２５は、図４（Ｂ）に示すように、前記突出端側から奥端に向けて傾斜するヒューズ案内用傾斜部２６と上面側から下方に向けて傾斜するアッパーカバー案内用傾斜部２７とからなる。ヒューズ案内用傾斜部２６は、アッパーカバー案内用傾斜部２７よりも突出端側に設けられている。
ヒューズ案内用傾斜部２６の傾斜角度θ３は出力部用の仕切壁２０のヒューズ案内用傾斜部２３の傾斜角度θ１と同一とし、アッパーカバー案内用傾斜部２７の傾斜角度θ４は出力部用の仕切壁２０のアッパーカバー案内用傾斜部２４の傾斜角度θ２と同一としている。
【００３６】
ケース本体１１の一体型ヒューズ取付部１７の上側部には、その上端縁に沿って、前記入力部３３のクリップ穴３９に挿入係止される複数のクリップ２８を突設している。
【００３７】
つぎに、ケース本体１１へ一体型ヒューズ３０の取付方法を説明する。
まず、図５に示すように、一体型ヒューズ３０を垂直に立てた状態で、取付部１７に対して水平方向に挿入する。その際、仕切壁２０のアッパーカバー案内用傾斜部２４に絶縁樹脂部３２の下端を、仕切壁２１のアッパーカバー案内用傾斜部２７に入力部３３の下端をそれぞれ当てながら挿入することにより、一体型ヒューズ３０を自ずと正確な取り付け位置へと案内することができるため、一体型ヒューズ３０をスムーズに挿入して正確な位置へと手早く取り付けることができる。
【００３８】
一体型ヒューズ３０のケース本体１１への装着状態は、ケース本体１１の取付部１７から突設した出力部用の仕切壁２０を一体型ヒューズ３０の各出力部３４間の隙間に嵌合させ、該仕切壁２０の上面２０ａを各出力部３４間の隙間に位置する絶縁樹脂部３２の下端に当接させる。かつ、取付部１７から突設した入力部用の仕切壁２１を一体型ヒューズ３０の開口３７の両側縁３７ａ、３７ｂに当接させると共に、仕切壁２１の上面２１ａを開口３７に臨む入力部３３の下端に当接させる。これにより、一体型ヒューズ３０の取付部１７に対する上下左右方向の位置決めを行う。
【００３９】
入力側スタッドボルト１８を一体型ヒューズ３０の入力部３３のボルト穴３６に通し、出力側スタッドボルト１９を一体型ヒューズ３０の各出力部３４のボルト穴３８に通し、それぞれ突出させる。
【００４０】
次に、取付部１７から突設したクリップ２８を一体型ヒューズ３０の入力部３３に設けたクリップ穴３９に挿入係止して、一体型ヒューズ３０のケース本体１１に固定する。
【００４１】
次に、図６に示すように、一体型ヒューズ３０の開口３７の両側を一対の仕切壁２１に挟まれた電源線挿通部２９に電源線４１を挿通する。図７に示すように、電源線４１の端末に接続したボルト締め端子４３を、一体型ヒューズ３０の入力部３３のボルト穴３６から突出した前記入力側スタッドボルト１８に嵌合してナット４５で締め付け接続する。
一体型ヒューズ３０の各出力部３４のボルト穴３８から突出した各出力側スタッドボルト１９には、電線４２の端末に接続したボルト締め端子４４を嵌合し、ナット４６で締め付け接続する。
【００４２】
最後に、ケース本体１１の下部にロアカバー１３を組み付け、上部にアッパーカバー１２を組み付け、図８に示すように、アッパーカバー１２の周壁１２ａで一体型ヒューズ３０の外面を覆う。
【００４３】
前記構成の電気接続箱１０は、発熱量の多い一体型ヒューズ３０をケース本体１１の側壁外面に取り付けているため、ケース内部に収容していた従来の電気接続箱に比して放熱性が高く、ケース本体１１の過熱および溶損を防止できる。
【００４４】
また、一体型ヒューズ３０をアッパーカバー１２のみで覆う構成としているため、放熱性を確保しながらも、絶縁樹脂部３２から露出した入力部３３および出力部３４を被覆することができる。かつ、ボルト締め接続作業やメンテナンス作業に際しては、アッパーカバー１２のみを取り外せばよく、ロアカバー１３を取り外す必要がないため、作業性も向上する。
【００４５】
さらに、ケース本体１１に一体型ヒューズ３０の各出力部３４間を仕切る仕切壁２０を突設しているため、出力部３４のボルト穴３８から突出するボルト１９が、電気接続箱１０内に配線される電線と干渉して該電線を損傷することを防止できる。特に、ケース本体１１より突設した仕切壁２１は、一体型ヒューズ３０の入力部３３に接続される電源線４１の配線経路を規制すると共に、隣接する出力部３４から突出するボルト１９と電源線４１が干渉することを防ぐため、電源線４１の損傷を防止することができる。
【００４６】
さらにまた、出力部仕切壁２０および電源線仕切壁２１の突出側外端面２０ｃ、２１ｃの突出位置を、入力側スタッドボルト１８および出力側スタッドボルト１９の先端１８ａ、１９ａよりも外側に位置させている。よって、図８に示すように、アッパーカバー１２の取り付けに際し、アッパーカバー１２の下端１２ｂをボルト１８、１９に引っ掛けることなく挿入でき、ボルト１８、１９のエッジでカバー１２が損傷することを防止できる。
【００４７】
また、一体型ヒューズ３０をケース本体１１に取り付けるとき、図５に示すように、絶縁樹脂部３２の下端および入力部３３の下端と仕切壁２０の上面２０ａおよび仕切壁２１の上面２１ａとが干渉しやすいが、これら仕切壁２０、２１の上面２０ａ、２１ａの突出側の角部にそれぞれ傾斜切欠２２、２５を設けているため、一体型ヒューズ３０の挿入始めの引っかかりの衝撃を緩和することができる。
【００４８】
また、アッパーカバー１２をケース本体１１に取り付けるときは、図８に示すように、アッパーカバー１２の下端１２ｂと仕切壁２０および仕切壁２１の上面２０ａ、２１ａとが干渉しやすいが、これら仕切壁２０、２１の突出側の角部に傾斜切欠２２、２５を設けているため、干渉の衝撃を緩和することができる。さらに、仕切壁２０のヒューズ案内用傾斜部２３および仕切壁２１のヒューズ案内用傾斜部２６にアッパーカバー１２の下端１２ｂを当接させながら挿入することにより、アッパーカバー１２を自ずと正確な取付位置へと案内することができるため、アッパーカバー１２の取り付け作業性を高めることができる。
【００４９】
また、各仕切壁２０、２１に、ヒューズ案内用傾斜部２３、２６とアッパーカバー案内用傾斜部２４、２７を連続して設けることにより、挿入方向が上方からのアッパーカバー１２と側方の一体型ヒューズ３０の案内を、一つの仕切壁に設けることができる。
【００５０】
なお、本発明は前記実施形態に限定されず、前記実施形態ではケース本体の取付部７に複数のスタッドボルトを設けているが、入力部用の一つまたは出力部用の一つのみとし、他はナットにしてボルトを締結する構成としてもよい。
【図面の簡単な説明】
【００５１】
【図１】本発明の実施形態に係る電気接続箱の分解斜視図である。
【図２】図１に示す一体型ヒューズの正面図である。
【図３】図１に示すケース本体を示し、（Ａ）は上面図、（Ｂ）は正面図である。
【図４】（Ａ）は図３（Ａ）のＩＶ−ＩＶ線断面図、（Ｂ）は（Ａ）の要部拡大図である。
【図５】一体型ヒューズのケース本体への取り付け工程を示す説明断面図である。
【図６】ケース本体に一体型ヒューズを取り付けた状態を示す正面図である。
【図７】スタッドボルトに電線を接続した状態を示す正面図である。
【図８】ケース本体へのアッパーカバーの取り付け工程を示す説明断面図である。
【図９】従来例を示す図である。
【符号の説明】
【００５２】
１０  電気接続箱
１１  ケース本体
１２  アッパーカバー
１７  一体型ヒューズの取付部
１８  入力側スタッドボルト
１９  出力側スタッドボルト
２０  出力部用の仕切壁
２１  入力部用の仕切壁
２２、２５  傾斜切欠
２３、２６  ヒューズ案内用傾斜部
２４、２７  アッパーカバー案内用傾斜部
３０  一体型ヒューズ
３２  絶縁樹脂部
３３  入力部
３４  出力部
３５  溶断部
４１  電源線
４３、４４  ボルト締め端子
【図１】
0005088229.tif 000002
【図２】
0005088229.tif 000003
【図３】
0005088229.tif 000004
【図４】
0005088229.tif 000005
【図５】
0005088229.tif 000006
【図６】
0005088229.tif 000007
【図７】
0005088229.tif 000008
【図８】
0005088229.tif 000009
【図９】
0005088229.tif 000010